【手続補正書】
【提出日】平成16年7月1日(2004.7.1)
【手続補正１】
【補正対象書類名】明細書
【補正対象項目名】特許請求の範囲
【補正方法】変更
【補正の内容】
【特許請求の範囲】
【請求項１】
配列番号：１、配列番号：２または配列番号：３で表わされるアミノ酸配列と同一もしくは実質的に同一のアミノ酸配列を有するタンパク質またはその塩。
【請求項２】
配列番号：１、配列番号：２または配列番号：３で表されるアミノ酸配列と同一もしくは約９０％以上の相同性を有するアミノ酸配列を有する請求項１記載のタンパク質またはその塩。
【請求項３】
（i）配列番号：１、配列番号：２または配列番号：３で表わされるアミノ酸配列中の数個のアミノ酸が欠失したアミノ酸配列、（ii）配列番号：１、配列番号：２または配列番号：３で表わされるアミノ酸配列に数個のアミノ酸が付加したアミノ酸配列、（iii）配列番号：１、配列番号：２または配列番号：３で表わされるアミノ酸配列中の数個のアミノ酸が他のアミノ酸で置換されたアミノ酸配列、または（iv）上記（i）〜（iii）を組み合わせたアミノ酸配列、または（v） 配列番号：１、配列番号：２または配列番号：３で表わされるアミノ酸配列を含有する請求項１記載のタンパク質またはその塩。
【請求項４】
配列番号：１、配列番号：２または配列番号：３で表わされるアミノ酸配列からなるタンパク質またはその塩。
【請求項５】
配列番号：１、配列番号：２または配列番号：３で表わされるアミノ酸配列と実質的に同一のアミノ酸配列が、配列番号：１で表わされるアミノ酸配列の第８〜２１番目、第５５〜５９番目、第９３〜１０２番目、第１０９〜１１６番目、第１１８〜１２６番目、第１２８〜１３４番目、第１４４〜１４９番目、第１６２〜１７０番目、第１７６〜１８２番目、第１８４〜１８９番目、第１９３〜２１３番目、第２１５〜２１９番目および第２２８〜２３９番目のアミノ酸配列を有するアミノ酸配列である請求項１記載のタンパク質。
【請求項６】
アポトーシス誘導活性を有するタンパク質である請求項１〜５のいずれかに記載のタンパク質。
【請求項７】
細胞障害活性を有するタンパク質である請求項１〜５のいずれかに記載のタンパク質。
【請求項８】
請求項１記載のタンパク質の部分ペプチドまたはその塩。
【請求項９】
（i）配列番号：１で表わされるアミノ酸配列の第８〜２１番目、第５５〜５９番目、第９３〜１０２番目、第１０９〜１１６番目、第１１８〜１２６番目、第１２８〜１３４番目、第１４４〜１４９番目、第１６２〜１７０番目、第１７６〜１８２番目、第１８４〜１８９番目、第１９３〜２１３番目、第２１５〜２１９番目および第２２８〜２３９番目のアミノ酸配列から選ばれる少なくとも１つ以上のアミノ酸配列、または（ii）配列番号：１で表わされるアミノ酸配列の第８〜２１番目、第５４〜５９番目、第９３〜１０２番目、第１０９〜１１６番目、第１１８〜１２６番目、第１２８〜１３４番目、第１４４〜１４９番目、第１６２〜１７０番目、第１７６〜１８２番目、第１８４〜１８９番目、第１９３〜２１３番目、第２１５〜２１９番目および第２２８〜２４０番目のアミノ酸配列から選ばれる少なくとも１つ以上のアミノ酸配列を有する請求項８記載の部分ペプチド。
【請求項１０】
（i）配列番号：１で表わされるアミノ酸配列の第８３番目〜第２４０番目のアミノ酸配列、（ii）配列番号：２で表わされるアミノ酸配列の第８１番目〜第２３９番目のアミノ酸配列、または（iii）配列番号：３で表わされるアミノ酸配列の第８１番目〜第２３９番目のアミノ酸配列を有する請求項８記載の部分ペプチド。
【請求項１１】
請求項１記載のタンパク質をコードする塩基配列を有するＤＮＡを含有するＤＮＡ。
【請求項１２】
配列番号：４〜配列番号：１０のいずれかの配列番号で表わされる塩基配列を有する請求項１１記載のＤＮＡ。
【請求項１３】
請求項１１記載のＤＮＡを含有する組換えベクター。
【請求項１４】
請求項１３記載の組換えベクターで形質転換された形質転換体。
【請求項１５】
請求項１４記載の形質転換体を培養し、請求項１記載のタンパク質を生成、蓄積せしめ、これを採取することを特徴とする請求項１記載のタンパク質またはその塩の製造方法。
【請求項１６】
請求項１記載のタンパク質、請求項８記載の部分ペプチドまたはそれらの塩を含有してなる医薬。
【請求項１７】
請求項１１記載のＤＮＡを含有してなる医薬。
【請求項１８】
請求項１記載のタンパク質、請求項８記載の部分ペプチドまたはそれらの塩に対する抗体。
【請求項１９】
中和抗体である請求項１８記載の抗体。
【請求項２０】
請求項１８記載の抗体を含有してなる医薬。
【請求項２１】
癌、ウイルス感染症、ヘリコバクター・ピロリ感染、侵襲性ブドウ状球菌感染、肝炎、腎炎、骨疾患、動脈硬化症または痛みの治療・予防剤である請求項１６、１７または２０記載の医薬。
【請求項２２】
請求項１記載のタンパク質、請求項８記載の部分ペプチドまたはそれらの塩を用いることを特徴とする、請求項１記載のタンパク質、請求項８記載の部分ペプチドまたはそれらの塩と請求項１記載のタンパク質が結合し得るレセプターとの結合性を変化させる化合物またはその塩のスクリーニング方法。
【請求項２３】
請求項１記載のタンパク質、請求項８記載の部分ペプチドまたはそれらの塩を含有する、請求項１記載のタンパク質、請求項８記載の部分ペプチドまたはそれらの塩と請求項１記載のタンパク質が結合し得るレセプターとの結合性を変化させる化合物またはその塩のスクリーニング用キット。
【請求項２４】
請求項１記載のタンパク質、請求項８記載の部分ペプチドまたはそれらの塩を用いることを特徴とする請求項１記載のタンパク質を分解するプロテイナーゼの活性を促進または阻害する化合物またはその塩のスクリーニング方法。
【請求項２５】
請求項１記載のタンパク質、請求項８記載の部分ペプチドまたはそれらの塩を含有する、請求項１記載のタンパク質を分解するプロテイナーゼの活性を促進または阻害する化合物またはその塩のスクリーニング用キット。
【請求項２６】
請求項１記載のタンパク質、請求項８記載の部分ペプチドまたはそれらの塩を用いることを特徴とする、請求項１記載のタンパク質、請求項８記載の部分ペプチドまたはそれらの塩と請求項１記載のタンパク質が結合し得るレセプターとの結合後の細胞内シグナル伝達を促進または阻害する化合物またはその塩のクリーニング方法。
【請求項２７】
請求項１記載のタンパク質、請求項８記載の部分ペプチドまたはそれらの塩を含有する、請求項１記載のタンパク質、請求項８記載の部分ペプチドまたはそれらの塩と請求項１記載のタンパク質が結合し得るレセプターとの結合後の細胞内シグナル伝達を促進または阻害する化合物またはその塩のスクリーニング用キット。
【請求項２８】
外来性の請求項１１記載のＤＮＡまたはその変異ＤＮＡを有することを特徴とする非ヒト哺乳動物。
【請求項２９】
請求項１１記載のＤＮＡが不活性化された非ヒト哺乳動物胚幹細胞。
【請求項３０】
請求項１１記載のＤＮＡが不活性化された該ＤＮＡ発現不全非ヒト哺乳動物。
【請求項３１】
該ＤＮＡがレポーター遺伝子を導入することにより不活性化され、該レポーター遺伝子が請求項１１記載のＤＮＡに対するプロモーターの制御下で発現し得る請求項３０記載の非ヒト哺乳動物。
【請求項３２】
請求項３１記載の非ヒト哺乳動物に試験化合物を投与し、レポーター遺伝子の発現を検出することを特徴とする請求項１１記載のＤＮＡに対するプロモーターの活性を促進または阻害する化合物またはその塩のスクリーニング方法。